(57)【要約】【課題】少なくとも電気光学装置の表示用基板の画像表示部に表示される画像のコントラストの均一化を図ることができ、電気光学装置に外力が加わることによる画像表示部の表示異常の防止をも図ることができる電気光学装置の検査治具およびこの検査治具を用いた電気光学装置の製造方法を提供すること。【解決手段】電気光学装置２００を載置する載置部１０と、載置部１０の上面に設けられ、コネクタ１２５を接続するコネクタ受け１４と、画像調整部（可変抵抗器１２７）を介して画像表示部１１１に供給する駆動電圧の値を調整する調整機構２０とを備える検査治具１により、電気光学装置２００の画像表示部１１１に表示される画像のコントラストを検査し、画像調整部により画像表示部１１１に表示される画像のコントラストを調整する。【選択図】      図９
2004302384.tif 000002
【特許請求の範囲】
【請求項１】
画像を表示する画像表示部が設けられた表示用基板と、
前記表示用基板に接続されるインターフェース基板と、
前記インターフェース基板の一方の面上に設けられ、且つ外部から電源及び信号を供給されるコネクタと、
前記インターフェース基板の前記一方の面上に設けられ、且つ前記画像表示部の表示の調整が可能である画像調整部と、
を備える電気光学装置を検査する電気光学装置の検査治具であって、
前記電気光学装置を載置する載置部を有し、
前記載置部には、前記コネクタと接続され、前記コネクタに電源及び信号を供給するコネクタ受けと、
前記画像調整部に対向する位置に開口してなる開口部と、
前記開口部を通じて、前記画像調整部を介して前記画像表示部の表示を調整する調整機構と、
が設けられてなることを特徴とする電気光学装置の検査治具。
【請求項２】
画像を表示する画像表示部が設けられた表示用基板と、
前記表示用基板に接続されるインターフェース基板と、
前記インターフェース基板の一方の面上に設けられ、且つ外部から電源及び信号を供給されるコネクタと、
前記インターフェース基板の前記一方の面上に設けられ、且つ前記画像表示部の表示の調整が可能である画像調整部と、
を備える電気光学装置を検査する電気光学装置の検査治具であって、
前記電気光学装置を載置する載置部を有し、
前記載置部には、前記画像調整部を介して前記画像表示部の表示を調整する調整機構と、
前記コネクタと接続され、前記コネクタに電源及び信号を供給するコネクタ受けと、
前記コネクタ受け内部から突出し、前記コネクタを前記コネクタ受けから解除する解除部と、
が設けられてなることを特徴とする電気光学装置の検査治具。
【請求項３】
前記解除部を有する解除機構は、
解除用軸と、
前記解除用軸に揺動自在に支持され、一端には前記載置部から突出してなる押圧部と他端には当該押圧部を押圧することで、前記コネクタ受け内部から突出する前記解除部とを有する解除部材と、
を備えることを特徴する請求項２に記載の電気光学装置の検査治具。
【請求項４】
前記調整機構は、
前記ドライバ受け部材と、前記ドライバ受け部材に支持されるドライバとを備えることを特徴とする請求項１乃至３のいずれか１項に記載の電気光学装置の検査治具。
【請求項５】
前記ドライバ受け部材には、上下動可能である前記ドライバに設けられたつば部を係止する段差部が設けられていることを特徴とする請求項４に記載の電気光学装置の検査治具。
【請求項６】
前記インターフェース基板は、前記コネクタと前記画像調整部とを有するコネクタ部を備え、
前記検査治具は、当該検査治具と前記コネクタ部とを狭持するクランプ機構が設けられていることを特徴とする請求項１乃至５のいずれか１項に記載の電気光学装置の検査治具。
【請求項７】
画像を表示する画像表示部が設けられた表示用基板と、
前記表示用基板に接続されるインターフェース基板と、
前記インターフェース基板の一方の面上に設けられ、且つ外部から電源及び信号を供給されるコネクタと、
前記インターフェース基板の前記一方の面上に設けられ、且つ前記画像表示部の表示の調整が可能である画像調整部と、
を備える電気光学装置を組み立てる工程と、
請求項１乃至６のいずれか１項に記載の電気光学装置の検査治具により、前記組み立てられた電気光学装置の画像表示部を検査し、且つ前記画像調整部を介して画像表示部の表示を調整する工程と、
を含むことを特徴とする電気光学装置の製造方法。
【発明の詳細な説明】
【０００１】
【発明の属する技術分野】
この発明は、電気光学装置の検査治具に関し、さらに詳しくは電気光学装置の画像表示部の表示を検査、調整する電気光学装置の検査治具およびこの検査治具を用いた電気光学装置の製造方法に関する。
【０００２】
【従来の技術】
液晶表示基板等の電気光学基板は、液晶などにより構成されている複数の画素からなる画像表示部を有する表示用基板と、この表示用基板と携帯電話機などの電子機器とを接続するインターフェース基板とから構成されている。この電気光学基板が液晶表示基板等である場合においては、画像表示部に所望の画像を表示させるためには光源、すなわちバックライトが必要である。この光源は、電気光学基板が取り付けられる筐体に配置され、電気光学基板の表示用基板とこの筐体との間に設けられた導光板に光を照射し、この導光板は表示用基板の画像表示部に光を照射するものである。光源、例えばＬＥＤ（Ｌｉｇｈｔ  Ｅｍｉｔｔｉｎｇ  Ｄｉｏｄｅ）を筐体に配置するためあるいはこの光源を点灯させる点灯電圧を供給するための配線などのために表示用基板やインターフェース基板以外に光源用基板を設けることは、電気光学基板を筐体に取り付けることで構成される電気光学装置の製造コストや組み立て時間の増加を招くものである。そこで、電気光学基板の表示用基板に接続されるインターフェース基板に光源を実装する技術が提案されている。
【０００３】
図１２は、従来の電気光学装置の製造方法のフロー図である。従来では、同図に示すように、まず電気光学基板の組み立てを行う（ステップＳＴ１００）。この電気光学基板の組み立てとは、例えば電気光学基板が、液晶表示基板であれば、ガラス基板などの硬質基板である第一の基板とカラーフィルタなどを備える硬質基板である第二の基板との２つの基板の間に液晶を封入し、画像表示部を有する表示用基板を形成する。そして、この表示用基板に光源であるＬＥＤなどを有するインターフェース基板を電気的に接続する。次に、この電気光学基板の表示異常などを検査するため中間点灯検査を行う（ステップＳＴ１１０）。この中間点灯検査では、中間検査治具を用いる。この中間検査治具は、電気光学基板の画像表示部に光を照射するための中間検査用の光源、すなわち中間検査用ＬＥＤとこの画像表示部に画像を表示させるための駆動電圧を供給するコネクタ受けを備えるものである。中間点灯検査では、電気光学基板を中間検査治具上に載置し、この電気光学基板のインターフェース基板に設けられたコネクタと中間検査治具のコネクタ受けとを接続する。そして、この中間検査治具から電気光学基板のドライバＩＣなどを介して画像表示部に画像を表示するための駆動電圧を供給し、中間検査用ＬＥＤを点灯させることにより電気光学基板の画像表示部に光を照射して、この画像表示部の表示異常を検査する。
【０００４】
次に、中間点灯検査が終了し、問題のない電気光学基板を筐体に取り付け、インターフェース基板の光源であるＬＥＤをこの筐体の内部に配置、固定する。すなわち電気光学装置の組み立て（ステップＳＴ１２０）を行う。そして、筐体に取り付けられた電気光学基板が、この筐体に取り付けられる際に破損などにより表示異常が発生していないかを検査するため最終点灯検査（ステップＳＴ１３０）を行う。この最終点灯検査では、検査治具を用いる。この検査治具は、電気光学基板の画像表示部に画像を表示させるための駆動電圧を供給し、この電気光学基板のインターフェース基板のＬＥＤを点灯させるための点灯電圧を供給するコネクタ受けを備えるものである。最終点灯検査では、電気光学装置を検査治具上に載置し、インターフェース基板のコネクタと検査治具のコネクタ受けを接続する。そして、この検査治具から電気光学基板のドライバＩＣなどを介して画像表示部に画像を表示するための駆動電圧とインターフェース基板のＬＥＤを点灯する点灯電圧を供給して、このＬＥＤを点灯させることにより電気光学基板の画像表示部に光を照射して、この画像表示部の表示異常を検査する。
【０００５】
ここで、電気光学基板の画像表示部は、電気光学基板ごとにその特性が異なる。例えば、電気光学基板の画像表示部に画像を表示させるため、同じ駆動電圧を用いたとしても、この画像表示部に表示される画像のコントラストが異なるものである。従って、組み立てられた電気光学基板の画像表示部に表示される画像のコントラストを均一化（最適化）するために、個々の電気光学基板の画像表示部に供給する駆動電圧の値を調整、すなわち画像表示部の表示を調整する必要がある。このため、従来では、インターフェース基板のＬＥＤの近傍に上に駆動電圧の値を調整するための画像調整部を設けたり、インターフェース基板によって電気光学基板と接続される携帯電話機などの電子機器に画像調整部を設けたりする必要があった。
【０００６】
つまり、従来の電気光学基板では、画像調整部がインターフェース基板の光源であるＬＥＤの近傍に設けられていたため、画像表示部の表示異常などを検査するため中間点灯検査を行う（ステップＳＴ１１０）際に、この画像調整部により画像表示部に供給される駆動電圧の値を調整していた。すなわち、筐体に電気光学基板を取り付けない状態で、画像表示部に供給する駆動電圧の値を調整していた。ここで、電気光学基板のインターフェース基板は、従来はガラス基板などの硬質基板が用いられていたが、近年では形状の変形などが容易で設計の自由度が高いＦＰＣ（Ｆｌｅｘｉｂｌｅ  Ｐｒｉｎｔｅｄ  Ｃｉｒｃｕｉｔｓ）、ヒートシールなどのフレキシブル基板が用いられている（特許文献１参照）。
【０００７】
【特許文献１】
実開平７−１４４３８号公報
【０００８】
【発明が解決しようとする課題】
ここで、このインターフェース基板に実装される光源であるＬＥＤなどは、それぞれ個体差を有している。つまり、ＬＥＤを点灯させるために同じ点灯電圧を用いたとしても、その色度が個々のＬＥＤによって異なるものである。上記のように、中間点灯検査時（ステップＳＴ１１０）に、筐体に取り付けられていない電気光学基板の画像表示部に表示される画像のコントラストを均一化しても、この際に用いられる光源は、中間検査治具に備えられた中間検査用ＬＥＤである。従って、最終点灯検査時（ステップＳＴ１３０）には、最終点灯検査を行われる電気光学装置によっては、電気光学基板の画像表示部のコントラストが不均一となる問題があった。これは、電気光学基板を筐体に取り付け、この筐体に実際に配置される光源を点灯した状態、すなわち電気光学装置の状態で、電気光学基板の画像表示部に表示される画像のコントラストの均一化を図っていないためである。
【０００９】
従来のようにインターフェース基板がガラス基板などの硬質基板であれば、予め画像調整用の穴を設け、画像調整部を光源であるＬＥＤなどの近傍に配置することができる。従って、電気光学基板を筐体に取り付け（ステップＳＴ１２０）、インターフェース基板の光源であるＬＥＤをこの筐体の内部に配置し、電気光学装置の電気光学基板に対する最終点灯検査を行う（ステップＳＴ１３０）際に、画像表示部の駆動電圧の値を調整することができる。しかしながら、上述ようにインターフェース基板がＦＰＣやヒートシールなどのフレキシブル基板の場合は、画像調整用の穴を設けることは困難である。
【００１０】
また、画像調整部により表示を調整するために、この画像調整部に外力を加える必要がある。さらに、最終点灯検査（ステップＳＴ１３０）を終了した電気光学装置のインターフェース基板のコネクタを検査治具のコネクタ受けから取り外すために、このコネクタに上方へ引っ張る外力を与える必要がある。これらの外力は、フレキシブル基板であるインターフェース基板にも加わることとなる。インターフェース基板には、画像調整部以外に光源であるＬＥＤに点灯電圧を供給するための配線や、駆動回路部として画像表示部に駆動電圧を供給するドライバＩＣ、このドライバＩＣなどに電源を供給する電源ＩＣ、このドライバＩＣや電源ＩＣを制御するコントロールＩＣなどのＩＣが設けられている場合がある。従って、上記外力がインターフェース基板に加わりこのインターフェース基板が撓むことにより、このインターフェース基板の配線や上記ＩＣを構成する個別部品にストレスがかかり、配線が断線したり個別部品が破損したりすることで、電気光学装置の電気光学基板の画像表示部が表示異常をおこす恐れがある。
【００１１】
そこで、この発明は、上記に鑑みてなされたものであって、少なくとも電気光学装置の表示用基板の画像表示部に表示される画像のコントラストの均一化を図ることができ、電気光学装置に外力が加わることによる画像表示部の表示異常の防止をも図ることができる電気光学装置の検査治具およびこの検査治具を用いた電気光学装置の製造方法を提供することを目的とする。
【００１２】
【課題を解決するための手段】
上述の目的を達成するために、この発明に係る電気光学装置の検査治具は、画像を表示する画像表示部が設けられた表示用基板と、表示用基板に接続されるインターフェース基板と、インターフェース基板の一方の面上に設けられ、且つ外部から電源及び信号を供給されるコネクタと、インターフェース基板の一方の面上に設けられ、且つ画像表示部の表示の調整が可能である画像調整部とを備える電気光学装置を検査する電気光学装置の検査治具であって、電気光学装置を載置する載置部を有し、載置部には、コネクタと接続され、コネクタに電源及び信号を供給するコネクタ受けと、画像調整部に対向する位置に開口してなる開口部と、開口部を通じて、画像調整部を介して画像表示部の表示を調整する調整機構とが設けられてなることを特徴とする。
【００１３】
この発明によれば、調整機構は、電気光学装置の画像表示部の表示の調整が可能である画像調整部を介して、画像表示部に供給される駆動電圧の値を調整する。従って、検査治具は、電気光学装置の状態で、画像表示部の駆動電圧の値を調整、すなわち画像表示部に表示される画像のコントラストの調整を画像調整部を介して調整機構により行うことができる。これにより、電気光学装置の画像表示部に表示される画像のコントラストの均一化を図ることができる。ここで、画像表示部は表示用基板に設けられており、この表示用基板にはガラス基板などの硬質基板やＦＰＣ（Ｆｌｅｘｉｂｌｅ  Ｐｒｉｎｔｅｄ  Ｃｉｒｃｕｉｔｓ）やヒートシールなどのフレキシブル基板が含まれる。一方、コネクタと画像調整部は、インターフェース基板に設けられており、このインターフェース基板とはＦＰＣやヒートシールなどのフレキシブル基板である。なお、電気光学装置が液晶表示装置である場合は、インターフェース基板に光源が実装されていることが好ましい。この場合は、電気光学装置に実際に配置される光源の個体差による画像表示部のコントラストの不均一を少なくすることができ、電気光学装置の画像表示部に表示される画像のコントラストの均一化を図ることができる。ここで、この光源としてはＬＥＤやエレクトロルミネッセンスなどが含まれる。
【００１４】
また、次の発明に係る電気光学装置の検査治具は、画像を表示する画像表示部が設けられた表示用基板と、表示用基板に接続されるインターフェース基板と、インターフェース基板の一方の面上に設けられ、且つ外部から電源及び信号を供給されるコネクタと、インターフェース基板の一方の面上に設けられ、且つ画像表示部の表示の調整が可能である画像調整部とを備える電気光学装置を検査する電気光学装置の検査治具であって、電気光学装置を載置する載置部を有し、載置部には、画像調整部を介して画像表示部の表示を調整する調整機構と、コネクタと接続され、コネクタに電源及び信号を供給するコネクタ受けとコネクタ受け内部から突出し、コネクタをコネクタ受けから解除する解除部とが設けられてなることを特徴とする。
【００１５】
この発明によれば、調整機構は、電気光学装置の画像表示部の表示の調整が可能である画像調整部を介して、画像表示部に供給される駆動電圧の値を調整し、電気光学装置の検査を行う作業員が直接コネクタ受けに嵌め込まれたコネクタに上方へ引っ張る外力を与えてコネクタ受けから取り外すことはない。従って、検査治具は、電気光学装置の状態で、画像表示部の駆動電圧の値を調整、すなわち画像表示部に表示される画像のコントラストの調整を画像調整部を介して調整機構により行うことができるとともに、コネクタをコネクタ受けから取り外す際に、このコネクタが設けられているインターフェース基板が撓むことを低減することができる。これにより、電気光学装置の画像表示部に表示される画像のコントラストの均一化を図ることができるとともに、インターフェース基板の配線や上記ＩＣを構成する個別部品にストレスがかかることを低減でき、配線の断線や個別部品の破損を防止でき、画像表示部の表示異常の防止を図ることができる。ここで、コネクタおよび画像調整部が設けられているインターフェースの一方の面上と反対側の面上には、補強板が設けられていることが好ましい。
【００１６】
また、次の発明に係る電気光学装置の検査治具は、解除部を有する解除機構は、解除用軸と、解除用軸に揺動自在に支持され、一端には載置部から突出してなる押圧部と他端には当該押圧部を押圧することで、コネクタ受け内部から突出する解除部とを有する解除部材とを備えることを特徴する。
【００１７】
この発明によれば、解除部材のコネクタをコネクタ受けから取り外す解除部がこのコネクタ受け内部に配置され、この解除部を操作する解除部材の押圧部が載置部から突出している。従って、電気光学装置の検査が終了した際に、押圧部を押圧することで、解除部がコネクタ受けに接続されたコネクタを上方に押し上げることができる。これにより、コネクタをコネクタ受けから取り外す際の時間を短縮でき、電気光学装置の検査時間をさらに短縮でき、画像表示部に表示される画像のコントラストが均一化した電気光学装置の製造時間をさらに短縮することができる。
【００１８】
また、次の発明に係る電気光学装置の検査治具は、上記の電気光学装置の検査治具において、調整機構は、ドライバ受け部材と、ドライバ受け部材に支持されるドライバとを備えることを特徴とする。
【００１９】
この発明によれば、調整機構は、電気光学装置を載置する載置部の裏面に設けられている。従って、駆動電圧の値の調整、すなわち画像表示部に表示される画像のコントラストの調整する際に、画像表示部を視認しながら調整することができる。また、調整機構のドライバは、開口部およびドライバ受け部材内部を上下動するため、インターフェース基板の画像調整部に対するドライバの位置決めを容易にすることができる。これらにより、電気光学装置の画像表示部に表示される画像のコントラストの均一化をさらに図ることができる。
【００２０】
また、次の発明に係る電気光学装置の検査治具は、上記の電気光学装置の検査治具において、ドライバ受け部材には、上下動可能であるドライバに設けられたつば部を係止する段差部が設けられていることを特徴とする。
【００２１】
この発明によれば、調整機構のドライバがドライバ受け部材から脱落することがなくなる。従って、連続して電気光学装置の画像表示部に供給する駆動電圧の値を調整する際に、一つの電気光学装置の調整が終了した後改めてドライバをドライバ受け部材および開口部に挿入する必要がなく、インターフェース基板の画像調整部に対するドライバの位置決めをさらに容易にすることができる。これにより、電気光学装置の検査時間を短縮でき、画像表示部に表示される画像のコントラストが均一化した電気光学装置の製造時間をさらに短縮することができる。
【００２２】
また、次の発明に係る電気光学装置の検査治具は、上記電気光学装置の検査治具において、電気光学装置のインターフェース基板は、コネクタと画像調整部とを有するコネクタ部を備え、検査治具は検査治具とコネクタ部とを狭持するクランプ機構が設けられていることを特徴とする。
【００２３】
この発明によれば、コネクタがコネクタ受けに接続された際に、コネクタ部と検査治具を狭持、すなわちコネクタ部を検査治具に押さえるクランプ機構を設ける。従って、調整機構が画像調整部を介して電気光学装置の画像表示部に供給する駆動電圧の値を調整する際に、調整機構がこの画像調整部に加える外力によりコネクタがコネクタ受けから外れることを防止でき、画像調整部が設けられているコネクタ部が撓むことをさらに低減することができる。これにより、上述のように電気光学装置の画像表示部に表示される画像のコントラストの均一化を図ることができるとともに、画像表示部の表示異常の防止をさらに図ることができ、電気光学装置の検査時間をさらに短縮でき、画像表示部に表示される画像のコントラストが均一化した電気光学装置の製造時間をさらに短縮することができる。
【００２４】
また、次の発明に係る電気光学装置の製造方法は、画像を表示する画像表示部が設けられた表示用基板と、表示用基板に接続されるインターフェース基板と、インターフェース基板の一方の面上に設けられ、且つ外部から電源及び信号を供給されるコネクタと、インターフェース基板の前記一方の面上に設けられ、且つ画像表示部の表示の調整が可能である画像調整部とを備える電気光学装置を組み立てる工程と、上記電気光学装置の検査治具により、組み立てられた電気光学装置の画像表示部を検査し、且つ画像調整部を介して画像表示部の表示を調整する工程とを含むことを特徴とする。
【００２５】
この発明によれば、電気光学装置の状態で上記検査治具により画像表示部を検査し、画像表示部に供給する駆動電圧の値を調整するので、従来のように中間点灯検査が必要でなくなる。従って、電気光学装置の検査時間を短縮でき、画像表示部に表示される画像のコントラストが均一化した電気光学装置の製造時間を短縮することができる。
【００２６】
【発明の実施の形態】
以下、この発明につき図面を参照しつつ詳細に説明する。なお、この実施の形態によりこの発明が限定されるものではない。また、下記実施の形態における構成要素には、当業者が容易に想定できるもの或いは実質的に同一のものが含まれる。なお、本発明に係る電気光学装置としては、例えば液晶表示装置が挙げられるがこれに限定されるものではない。
【００２７】
図１は、本発明に係る電気光学装置の検査治具の構成例を示す図である。同図に示すように、この電気光学装置の検査治具１は、載置部１０と、調整機構２０と、解除機構３０とにより構成されている。載置部１０は、略長方形状であり、その四隅に脚部１１を有する。この載置部１０の略中央部には、後述するコネクタ受け１４などを設けるガラス基板などの硬質基板からなる検査用基板１２が設けられている。この検査用基板１２は、その中央部に後述する組み立てられた電気光学装置２００を載置、固定する電気光学装置用開口部１３が設けられている。
【００２８】
また、検査用基板１２の電気光学装置用開口部１３の近傍には、この電気光学装置用開口部１３に載置、固定された電気光学装置２００のコネクタ１２５が接続できる位置にコネクタ受け１４が設けられている。なお、このコネクタ受け１４は、検査用基板１２に設けられた配線と電気的に接続されており、この検査用基板１２の配線を介して、電気光学装置２００の電気光学基板１００に電源などを供給するための図示しない電源供給手段と接続されている。このコネクタ受け１４の近傍には、電気光学装置２００のコネクタ１２５がこのコネクタ受け１４に接続された際に、コネクタ１２５の近傍に配置されている画像調整部である可変抵抗器１２７の中心軸の延長線上に中心軸を有する開口部１５が設けられている。また、載置部１０には、コネクタ受け１４の長手方向、すなわちコネクタ受け１４の電気光学装置用開口部１３側と反対側に後述する解除機構３０の押圧部３５をこの載置部１０の上面に突出させる押圧部開口部１６が設けられている。
【００２９】
図２は、本発明に係る調整機構の構成例を示す図である。図１および図２に示すように、調整機構２０は、ドライバ受け部材２１とドライバ２２とにより構成されている。ドライバ受け部材２１は、図２に示すように、載置部１０の裏面に取り付けられており、その内部には中空部２３が設けられている。この中空部２３は、段差部２４によりその内径が異なる構造である。すなわち、段差部２４の上側の内径は広く、下側の内径は狭くなっている。
【００３０】
ドライバ２２は、その先端部に後述する画像調整部である可変抵抗器１２７の可変抵抗値を変化させるためのドライバ本体２５が設けられている。このドライバ本体２５は、その断面形状がプラス形状である。また、ドライバ２２の中央部には、上記中空部２３の段差部２４の下側の内径よりも広い外径を有するつば部２６が設けられている。ここで、ドライバ２２のつば部２６より下側の外径は、上記中空部２３の段差部２４の下側の内径よりも狭いものである。すなわち、ドライバ２２は、ドライバ受け部材２１により中空部２３内を上下動および回転できるように支持されている。なお、ドライバ２２は、このドライバ２２のつば部２６がドライバ受け部材２１の段差部２４に係止された状態で、その先端部に設けられたドライバ本体２５が載置部１０（検査用基板１２も含む）に設けられた開口部１５からこの載置部１０の上面、すなわち検査用基板１２の上面より突出している。
【００３１】
図３は、本発明に係る解除機構の構成例を示す図である。図１および図３に示すように、解除機構３０は、軸受部材３１と解除部材３２とにより構成されている。軸受部材３１は、図３に示すように、載置部１０の裏面に取り付けられており、その内部には解除部材３２を挿通する空間部３３が設けられている。解除部材３２は、その中央部に設けられた解除用軸３４により、軸受部材３１に揺動可能に支持されている。解除部材３１の一端（同図では、右側）には、載置部１０に設けられた押圧部開口部１６から、この載置部１０の上面に突出する押圧部３５が設けられている。
【００３２】
一方、解除部材３２の他端（同図では、左側）には、この押圧部３５を押圧することで、載置部１０の検査用基板１２に設けられたコネクタ受け１４の底部１４ａから突出する解除部３６が設けられている。ここで、解除機構３０の解除部材３２の所定個所（同図では、解除用軸３４の左側）には、解除側孔３２ａが設けられている。また、この解除側孔３２ａの上方に位置すると載置部１０の裏面には、本体側孔１０ａが設けられている。この解除側孔３２ａと本体側孔１０ａには、一つのコイルスプリングなどの弾性部材３７が挿入されている。解除部材３２は、この弾性部材３７により、この解除部材３２の解除部３６の先端が検査用基板１２のコネクタ受け１４の底部１４ａから突出しないように、解除用軸３４を介して軸受部材３１に支持されている。
【００３３】
次に、この検査治具１を用いた電気光学装置２００の製造方法について説明する。図４は、検査治具を用いた電気光学装置の製造方法のフロー図である。同図に示すように、まず電気光学基板１００の組み立てを行う（ステップＳＴ１）。図５は、電気光学基板の構成例を示す図である。同図に示すように、組み立てられる電気光学基板１００は、携帯電話機などに実装するものであり、表示用基板１１０とインターフェース基板１２０とで構成されている。表示用基板１１０は、ガラス基板などの硬質基板であり、画像表示部１１１が設けられている。この画像表示部１１１は、複数個の画素で構成されている。ここで、電気光学基板１００が、例えば液晶表示基板であれば、電気光学基板１００の組み立ては（ステップＳＴ１）、まずガラス基板などの硬質基板である図示しない第一の基板とカラーフィルタなどを備える硬質基板である第二の基板との２つの基板の間に液晶を封入し、表示用基板１１０を形成する。次に、この表示用基板１１０の画像表示部１１１の上下に後述する光源であるＬＥＤ１２４の光を偏光する偏光板１１２、１１３を取り付ける。なお、表示用基板１００の所定個所には、予め画像表示部１１１の画素に駆動電圧を供給するドライバＩＣ１１４が実装されている。すなわち、この電気光学基板１００は、ＣＯＧ構造（Ｃｈｉｐ  Ｏｎ  Ｇｌａｓｓ）である。
【００３４】
次に、インターフェース基板１２０を表示用基板１１０と電気的に接続する。このインターフェース基板１２０は、本体部１２１とコネクタ部１２２とにより構成され、ＦＰＣやヒートシールなどのフレキシブル基板である。本体部１２１は、ほぼ長方形状であり、その一端１２３が表示用基板１１０と電気的に接続されている。この接続は、導電部材を含む接着剤などで行われている。この本体部１２１には、後述する筐体１４０に配置される光源であるＬＥＤ１２４が複数個（同図（ｂ）では３個）実装されている。コネクタ部１２２は、Ｌ字状であり、本体部１２１のＬＥＤ１２４が設けられている一方の面上と同一面に、コネクタ１２５が設けられている。
【００３５】
コネクタ１２５は、同図（ｂ）に示すように、コネクタ部１２２の先端に設けられており、その断面形状が凸形状のオス型のコネクタである。このコネクタ１２５は、図示しない携帯電話機などの電子機器に設けられた断面形状が凹形状のメス型のコネクタと電気的に接続でき、かつ着脱可能となっている。インターフェース基板１２０のコネクタ部１２２は、その先端、すなわちコネクタ１２５の近傍に、スペース１２６が設けられている。このスペース１２６に画像調整部である可変抵抗器１２７と分圧抵抗器１２８、１２９が設けられている。可変抵抗器１２７は、上記調整機構２０のドライバ２２などでその抵抗値を変更することで、この可変抵抗器１２７の下流側に設けられているドライバＩＣ１１４を介して画像表示部１１１に供給する駆動電圧の値を変更することができるボリューム式可変抵抗器である。一方、２つの分圧抵抗器１２８、１２９は、可変抵抗器１２７の下流側のドライバＩＣ１１４を介して画像表示部１１１に供給する駆動電圧を定格値以下にするものである。
【００３６】
なお、インターフェース基板１２０のコネクタ部１２２に、コネクタ１２５が取り付けられている一方の面の反対側、すなわち他方の面に補強板１３０を設けても良い。この補強板１３０は、ガラスエポキシなどからなり、その厚みはこのコネクタ１２５と検査治具１のコネクタ受け１４あるいは携帯電話機などの電子機器に設けられたメス型のコネクタとを着脱する際に、コネクタ部１２２が撓まない程度の厚みを有している。この補強板１３０は、画像調整部である可変抵抗器１２７および分圧抵抗器１２８、１２９が取り付けられているコネクタ部１２２のスペース１２６の裏面にまで延在していても良い。さらに、コネクタ部１２２の裏面の全部を覆うように設けても良い。
【００３７】
次に、図４に戻って、この組み立てられた電気光学基板１００を筐体１４０に取り付けることで電気光学装置２００の組み立てを行う（ステップＳＴ２）。図６〜図８は、電気光学装置の組み立ての説明図である。まず、図６に示すように、電気光学基板１００を筐体１４０の中央部に設けられた空間部１４１に挿入する。ここで、この空間部１４１の底面には、後述する筐体１４０に配置された本体部１２１のＬＥＤ１２４から照射される光を表示用基板１１０の画像表示部１１１に均一に出射するための導光板１４２が設けられている。また、筐体１４０には、表示用基板１１０とこの筐体１４０の空間部１４１（導光板１４２）との間に隙間を設けるために、この表示用基板１１０の位置決めを行う位置決め部材１４３が設けられている。
【００３８】
次に、図７（ａ）に示すように、筐体１４０の空間部１４１に挿入された電気光学基板１００のインターフェース基板１２０の本体部１２１を矢印Ａ方向に折り曲げる。このとき、インターフェース基板１２０のコネクタ部１２２も本体部１２１と同様に矢印Ａ方向に回転する。本体部１２１が矢印Ａ方向に折り曲げられることで、この本体部１２１に実装されたＬＥＤ１２４は、導光板１４２と対向するように折り曲げられ、筐体１４０の空間部１４１に配置されることとなる。折り曲げられた本体部１２１の図示しない端部は、筐体１４０の切欠き部１４４の周囲に接着剤あるいは両面テープなどで固定される。次に、同図（ｂ）に示すように、インターフェース基板１２０のコネクタ部１２２を矢印Ｂ方向に折り曲げる。この折り曲げられたコネクタ部１２２は、筐体１４０に固定された本体部１２１に接着剤あるいは両面テープなどで固定される。
【００３９】
以上により、図８（ａ）に示すように、電気光学装置２００を組み立てる。つまり、電気光学基板１００と筐体１４０とで構成される電気光学装置２００を組み立てる。同図（ｂ）に示すように、インターフェース基板１２０の本体部１２１に実装された光源であるＬＥＤ１２４は、筐体１４０の空間部１４１に導光板１４２と対向するように配置される。一方、画像調整部である可変抵抗器１２７と分圧抵抗器１２８、１２９は、電気光学装置２００の状態、すなわち電気光学基板１００が筐体１４０に組み付けられた状態で、外部に露出している。つまり、可変抵抗器１２７と分圧抵抗器１２８、１２９は、表示用基板１１０や筐体１４０（組み立てられた電気光学装置２００）から突出した位置に配置される。換言すれば、画像調整部は、表示用基板１１０や筐体１４０に平面的に重ならない位置に配置される。
【００４０】
次に、図４に戻って、上記検査治具１を用いてこの組み立てられた電気光学装置２００の最終点灯検査を行う（ステップＳＴ３）。図９は検査治具に電気光学装置を載置、固定した状態を示す図、図１０および図１１は検査治具の動作説明図である。まず、図９に示すように、組み立てが終了した電気光学装置２００を検査治具１の検査用基板１２の電気光学装置用開口部１３（図１参照）に載置、固定する。なお、電気光学装置用開口部１３に対する電気光学装置２００の固定は、図示しない係止手段、例えば電気光学装置２００の筐体１４０に設けられた爪部と電気光学装置用開口部１３のこの爪部に対応する位置に設けられた溝部などにより行われる。電気光学装置２００を電気光学装置用開口部１３に載置、固定した後に、電気光学装置２００のコネクタ部１２２のコネクタ１２５を検査治具１のコネクタ受け１４に接続する。このとき、調整機構２０のドライバ２２の中心軸は、コネクタ部１２２の可変抵抗器１２７の中心軸の延長線上に位置する。
【００４１】
次に、検査治具１に上述した電源供給手段から電源を供給する。この供給された電源は、コネクタ受け１４およびコネクタ１２５を介して、画像表示部１１１に画像を表示させるための駆動電圧および光源部１２１の光源であるＬＥＤ１２４（図８（ｂ）参照）を点灯させる点灯電圧として電気光学装置２００の電気光学基板１００に供給される。ここで、コネクタ部１２２のコネクタ１２５から画像調整部に供給される電圧は、その電圧をまず分圧抵抗器１２８、１２９により電気光学基板１００の画像表示部１１１で正常に画像を表示できる定格値以下とされ、必要に応じて可変抵抗器１２７により定格値以下にされた電圧の値を微調整して、ドライバＩＣ１１４を介して画像表示部１１１に駆動電圧として供給される。
【００４２】
次に、電気光学装置２００の電気光学パネル１００の画像表示部１１１に表示異常がないか、この画像表示部１１１に所定の画像を表示させる。この所定の画像としては、すべて黒色の画像あるいは白色の画像、この画像表示部１１１の外周を構成する画素が正常か否かを検査するために外周を白色の画像とし、その内部を黒色の画像とする場合がある。また、階調を異ならせた画像、すべて赤色、緑色あるいは青色の画像、赤、緑、青のカラーバーの画像などとする場合もある。これにより、電気光学基板１００の組み立て時（ステップＳＴ１）あるいは筐体１４０への電気光学基板１００の取り付け時、すなわち電気光学装置２００の組み立て時（ステップＳＴ２）の不備による画像表示部１１１の表示異常を検査することができる。
【００４３】
次に、電気光学装置２００が取り付けられる携帯電話機などの電子機器によって、所望する電気光学装置２００の電気光学基板１００の画像表示部１１１が表示する画像のコントラストが異なる。従って、検査治具１から供給される電源により、ＬＥＤ１２４を点灯させるとともに、駆動回路部であるドライバＩＣ１１４を介して画像表示部１１１に駆動電圧を供給することで、このドライバＩＣ１１４が画像表示部１１１を駆動し、この画像表示部１１１に画像を表示させて、この表示された画像のコントラストが上記所望するコントラストと同一であるか否かを検査する。なお、本体部１２１に実装されている個々のＬＥＤ１２４の色度の相違、このＬＥＤ１２４からの光が導光板１４２を介して照射されることで画像を表示する画像表示部１１１の特性によって、画像表示部１１１が表示する画像のコントラストが上記所望するコントラストと異なる場合がある。
【００４４】
この場合は、図１０（ａ）に示すように、まず、調整機構２０のドライバ２２を矢印Ｅ方向、すなわち上方に押し上げる。押し上げられたドライバ２２は、開口部１５およびドライバ受け部材２１内部を傾斜せずに上方に移動するため、コネクタ部１２２の可変抵抗器１２７も対する位置決めが容易であり、同図（ｂ）に示すように、ドライバ２２のドライバ本体２６がコネクタ部１２２の可変抵抗器１２７に接続、すなわち噛み合う。そして、ドライバ２２を矢印Ｅ方向に押し上げた状態で、矢印Ｆのいずれかの方向に回転させ、可変抵抗器２７の抵抗値を変化させる。これにより、画像表示部１１１に表示される画像のコントラストを上記所望のコントラストに調整する。なお、調整された画像表示部１１１に表示される画像のコントラストとしては、例えば画像表示部１１１に表示される文字がはっきりと視認できるコントラストあるいは画像表示部１１１に表示される画像のうち、白色がはっきりと視認できるコントラストなどが好ましい。
【００４５】
以上から、電気光学装置２００の状態、すなわち電気光学基板１００が筐体１４０に組み付けられた状態でも、画像調整部である可変抵抗器１２７により、画像表示部１１１に表示する画像のコントラストを調整、すなわち画像表示部１１１に供給する駆動電圧の値を調整することができる。これにより、電気光学装置２００の状態で電気光学基板１００の画像表示部１１１に表示される画像のコントラストを調整するので、筐体１４０に実際に配置されるＬＥＤ１２４の個体差による画像表示部１１１のコントラストの不均一を少なくすることができ、電気光学装置２００の画像表示部１１１に表示される画像のコントラストの均一化を図ることができる。
【００４６】
画像調整部を介して画像表示部１１１に供給する駆動電圧の値の調整が終了したドライバ２２は、矢印Ｅ方向に押し上げることを終了すると、自重で矢印Ｅ方向と反対方向に移動する。このとき、このドライバ２２のつば部２６がドライバ受け部材２１の段差部２４により係止されるため、それ以上矢印Ｅ方向と反対方向に移動しない。つまり、ドライバ２２はドライバ受け部材２１より脱落することはない。従って、次の電気光学装置２００を電気光学装置用開口部１３に載置、固定して画像表示部１１１に表示される画像のコントラストを調整する際に、改めてドライバ２２をドライバ受け部材２１および開口部１６に挿入する必要がなくなる。これにより、電気光学装置２００の検査時間を短縮でき、画像表示部１１１に表示される画像のコントラストが均一化した電気光学装置２００の製造時間を短縮することができる。
【００４７】
次に、検査治具１から画像表示部１１１に表示される画像のコントラストの調整が終了した電気光学装置２００を取り外す。この取り外しは、図１１に示すように、まず、解除機構３０の押圧部３５を矢印Ｇ方向に押圧する。押圧部３５が矢印Ｇ方向に押圧されると、解除部材３２は弾性部材３７の弾性力に勝り、解除用軸３４を中心に矢印Ｈ方向に回転、すなわち解除部材３２は軸受部材３１に対して揺動する。この解除部材３２が揺動することで、解除部３６がコネクタ受け１４の底部１４ａから突出、すなわち電気光学装置２００のコネクタ部１２２のコネクタ１２５を上方に押し上げる。これにより、このコネクタ１２５は、コネクタ受け１４から取り外される。
【００４８】
以上により、コネクタ１２５をコネクタ受け１４から取り外す際に、このコネクタ１２５が設けられているコネクタ部１２２が撓むことを低減することができる。これにより、インターフェース基板１２０の配線の断線や個別部品の破損を防止でき、電気光学装置２００の画像表示部１１１の表示異常の防止を図ることができる。また、検査を行う作業員により、検査が終了した電気光学装置２００のコネクタ１２５をコネクタ受け１４から取り外すと比較して取り外す際の時間を短縮でき、電気光学装置２００の検査時間をさらに短縮でき、画像表示部１１１に表示される画像のコントラストが均一化した電気光学装置２００の製造時間をさらに短縮することができる。
【００４９】
なお、検査治具１の載置部１０に、この載置部１０と電気光学装置２００のコネクタ部１２２とを狭持する図示しないクランプ機構を設けても良い。電気光学装置２００を検査用基板１２の電気光学装置用開口部１３に載置、固定し、コネクタ１２５をコネクタ受け１４に接続した後、このクランプ機構により、コネクタ部１２２を載置部１０に押え付ける。これにより、検査治具１の調整機構２０が画像調整部を介して電気光学装置２００の画像表示部１１１に供給する駆動電圧の値を調整する際に、この調整機構２０がこの画像調整部、すなわち可変抵抗器１２７に加える外力によりコネクタ１２５がコネクタ受け１４から外れることを防止できる。また、調整機構２０のドライバ２２により可変抵抗器１２７に加わる外力が、この可変抵抗器１２７が設けられているコネクタ部１２２に加わり、このコネクタ部１２２が撓むことを低減することができる。
【００５０】
なお、上記実施形態では、この検査治具１を用いた電気光学装置２００の製造方法において、従来のように電気光学基板１００の中間点灯検査を行っても良い。これにより、画像表示部１１１に表示される画像に表示異常のある電気光学基板１００は、電気光学装置２００の組み立て（ステップＳＴ２）の前に除くことができる。すなわち、表示異常のある電気光学基板１００と筐体１４０で構成される電気光学装置２００が少ない状態で、最終点灯検査（ステップＳＴ３）を行うことができ、電気光学装置２００の製造時間および製造コストを低減することができる。
【００５１】
また、上記実施形態では、電気光学装置２００の電気光学基板１００としてＣＯＧ構造の電気光学基板について説明したが、本発明はこれに限定されるものではなく、インターフェース基板１２０にドライバＩＣ１１４を実装するＣＯＦ（Ｃｈｉｐ  Ｏｎ  ＦＰＣ）構造の電気光学パネルに用いても良い。
【００５２】
なお、上記実施形態では、電気光学装置２００として液晶表示装置に適用した場合について述べたが、本発明はこれに限定されず、例えば電気泳動装置にも適用可能である。すなわち、本発明は、外部から照射された光を利用する様々な電気光学装置に適用可能なことは言うまでもない。
【００５３】
〔本発明の適用対象〕
本発明に係る電気光学装置２００が実装される電子機器としては、携帯電話機の他に、例えば、ＰＤＡ（Ｐｅｒｓｏｎａｌ  Ｄｉｇｉｔａｌ  Ａｓｓｉｓｔａｎｔｓ）と呼ばれる携帯型情報機器や携帯型パーソナルコンピュータ、パーソナルコンピュータ、デジタルスチルカメラ、車載用モニタ、デジタルビデオカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話機、ＰＯＳ端末機等、電気光学装置を用いる機器が挙げられる。
【００５４】
また、この電気光学装置２００の電子光学基板１００は、透過型又は反射型の電気光学基板である。なお、アクティブマトリックス型のカラー電子光学基板であっても同様である。また、電子光学基板１００は、パッシブマトリクス型の電子光学基板及びアクティブマトリクス型の電子光学基板（例えば、ＴＦＴ（薄膜トランジスタ）や、ＴＦＤ（薄膜ダイオード）をスイッチング素子として備えた電子光学パネル）にも同様に適用することができる。
【図面の簡単な説明】
【図１】本発明に係る電気光学装置の検査治具の構成例を示す図。
【図２】本発明に係る調整機構の構成例を示す図。
【図３】本発明に係る解除機構の構成例を示す図。
【図４】検査治具を用いた電気光学装置の製造方法のフロー図。
【図５】電気光学基板の構成例を示す図。
【図６】電気光学装置の組み立ての説明図。
【図７】電気光学装置の組み立ての説明図。
【図８】電気光学装置の組み立ての説明図。
【図９】検査治具に電気光学装置を載置、固定した状態を示す図。
【図１０】検査治具の動作説明図。
【図１１】検査治具の動作説明図。
【図１２】従来の電気光学装置の製造方法のフロー図。
【符号の説明】
１  検査治具、１０  載置部、１４  コネクタ、１５  開口部、２０  調整機構、２１  ドライバ受け部材、２２  ドライバ、２４  段差部、２６  つば部、３０  解除機構、３１  軸受部材、３２  解除部材、３５  押圧部、３６  解除部、１００  電気光学基板、２００  電気光学装置
【図１】
2004302384.tif 000003
【図２】
2004302384.tif 000004
【図３】
2004302384.tif 000005
【図４】
2004302384.tif 000006
【図５】
2004302384.tif 000007
【図６】
2004302384.tif 000008
【図７】
2004302384.tif 000009
【図８】
2004302384.tif 000010
【図９】
2004302384.tif 000011
【図１０】
2004302384.tif 000012
【図１１】
2004302384.tif 000013
【図１２】
2004302384.tif 000014